(57)【要約】【課題】  本発明は、効率的な熱量制御を可能とする燃焼機器用デュアルベンチュリを提供する。【解決手段】  本発明の燃焼機器用デュアルベンチュリは、給湯器のような燃焼機器に流入する空気及びガスの量を２段階に制御できるように開閉手段を備える。この開閉手段は、モーターとダンパーとから構成される。給湯器のバーナー側に供給されるガス及び空気の量を調節し、ターンダウン比を高められるようにモーターとダンパーを結合し、モーターの駆動によってダンパーが回転して２次空気及びガスの流入口を同時に開放または遮断するので、空気及びガスの量を制御することができる。【選択図】図２
2016505794.tif 000002
【特許請求の範囲】
【請求項１】
一端側がターボファンと結合される排出部３００が形成され、内側にガス及び空気が流れるように所定空間が形成されるハウジング５００と、
前記ハウジング５００の内側で第１の隔壁１３０によって区画される空気供給部１００であって、第１の空気供給部１１０と、中間に開閉孔１２１が形成される第２の空気供給部１２０とに分離形成される空気供給部１００と、
前記ハウジング５００の一側面に形成され、第２の隔壁６１３によって区画されるガス供給部６１０であって、前記第１の空気供給部１１０と連通する第１のガス供給部６１１と、前記開閉孔１２１によって前記第２の空気供給部１２０と連通する第２のガス供給部６１２とを備えるように形成されるガス供給部６１０と、
前記ガス供給部６１０の側面に形成され、１次ガス及び２次ガスが同時に流入するように構成されるガス流入口６００であって、前記第１のガス供給部６１１側に形成される１次ガス流入口６０１と、第２のガス供給部６１２に形成される２次ガス流入口６０２とを備えるように構成されるガス流入口６００と、
燃焼機器が低熱量を必要とする場合、前記第２の空気供給部１２０に流入する２次空気と、前記第２のガス供給部６１２に流入する前記２次ガスの流れを遮断し、前記燃焼機器が高熱量を必要とする場合、前記第２の空気供給部１２０と前記第２のガス供給部６１２とを開放する開閉手段４００と、
を含むことを特徴とする燃焼機器用デュアルベンチュリ。
【請求項２】
前記開閉手段４００は、前記第２の空気供給部１２０の中間に備えられ、前記第２の空気供給部１２０を通じて流入する空気及び第２のガス供給部６１２を通じて流入する前記２次ガスを、モーター４１０の駆動によって回転されるダンパー４３０により遮断または通過させる開閉部４２０を含むことを特徴とする請求項１に記載の燃焼機器用デュアルベンチュリ。
【請求項３】
前記開閉部４２０は、
中心部に形成され、前記モーター４１０のモーター軸４１１と結合される軸孔４３１と、前記軸孔４３１の縁端領域に突出形成される２つ以上の凸部４３２と、前記凸部４３２に対して陥没形成される凹部４３３とを備え、前記凸部４３２と前記凸部４３２とが交互に形成されるダンパー４３０と、
前記凸部４３２及び前記凹部４３３にそれぞれ対応するように凸部４４２及び凹部４４３が形成され、前記ダンパー４３０の回転により前記前記凸部４３２及び前記凸部４４２の尖端部が互いに接触することで前進後退する移動体４４０と、
前記移動体４４０の一端部に結合され、前記移動体４４０の前進後退運動に応じて前記開閉孔１２１を開閉し、前記第２のガス供給部６１２を通じて流入する前記２次ガスを開放または遮断するバルブと、
前記ダンパー４３０と前記移動体４４０との間に備えられ、前記バルブ４４４が前記開閉孔１２１を開放した後、遮断するときに、弾性力を以て復元力を有する第１のスプリング４５１と、
を含むことを特徴とする請求項２に記載の燃焼機器用デュアルベンチュリ。
【請求項４】
前記バルブ４４４は、前記ダンパー４３０が回転することで前記移動体４４０が前記ダンパー４３０側に復帰して開閉孔１２１を遮断するときに、前記移動体４４０が迅速に復帰できるようにするために第１の隔壁１３０に配設される第２のスプリング４５２をさらに含むことを特徴する請求項３に記載の燃焼機器用デュアルベンチュリ。
【請求項５】
前記バルブ４４４は、前記開閉孔１２１と前記バルブ４４４との間の機密性を保持するためのシーリング部材４４５をさらに含むことを特徴とする請求項３に記載の燃焼機器用デュアルベンチュリ。
【請求項６】
前記バルブ４４４は、前記開閉孔１２１の閉鎖時に外側から供給されるガス圧力により前記開閉孔１２１を加圧して閉鎖するように、前記開閉孔１２１の外側に設けられることを特徴とする請求項３乃至請求項５のいずれか１項に記載の燃焼機器用デュアルベンチュリ。
【請求項７】
前記第１の空気供給部１１０及び前記第２の空気供給部１２０には、それぞれの内側に燃焼時に必要な熱量負荷に応じて空気の量を調節し、容量別にＴＤＲ（Ｔｕｒｎ−Ｄｏｗｎ  Ｒａｔｉｏ：ターンダウン比）を変更できるように脱着可能な負荷調節用内部ハウジング１１２、１２２をさらに含むことを特徴とする請求項１に記載の燃焼機器用でデュアルベンチュリ。
【発明の詳細な説明】
【技術分野】
【０００１】
本発明は、燃焼機器用デュアルベンチュリに関し、より詳しくは、給湯器のバーナー側に供給されるガス及び空気の量を調節し、ターンダウン比を高められるようにモーターとダンパーを結合し、モーターの駆動によってダンパーが回転してダンパーが空気及びガスの流入口を同時に開放または遮断することにより、効率的な熱量制御が可能な燃焼機器用デュアルベンチュリに関する。
【背景技術】
【０００２】
一般に、暖房及び温水の使用を目的として用いられるボイラー及び給湯器等の燃焼機器は、供給される燃料によってオイルボイラー、ガスボイラー、電気ボイラー、及び給湯器に区別され、設置用途に合わせて多様に開発され、使用されている。
【０００３】
このような燃焼機器のうち、特にガスボイラー及び給湯器においては、ガス燃料を燃焼させるため、ブンゼンバーナー（Ｂｕｎｓｅｎ  Ｂｕｒｎｅｒ）または予混合バーナー（Ｐｒｅｍｉｘｅｄ  ｂｕｒｎｅｒ）が用いられる。このうち、 予混合バーナー（Ｐｒｅｍｉｘｅｄ  ｂｕｒｎｅｒ）の燃焼方式は、ガスと空気を最適な燃焼状態の混合比で混合した後、その混合気（空気＋ガス）を炎孔部に供給して燃焼させることになる。
【０００４】
また、燃焼機器の性能はターンダウン比（Ｔｕｒｎ−Ｄｏｗｎ  Ｒａｔｉｏ：ＴＤＲ）で評価されるが、ターンダウン比とは、ガスの量を可変調節可能なガス燃焼装置における「最大ガス消費量対最小ガス消費量の比」を言う。たとえば、最大ガス消費量が２４，０００ｋｃａｌ／ｈで、最小ガス消費量が８，０００ｋｃａｌ／ｈの場合、ターンダウン比（ＴＤＲ）は３：１になる。ターンダウン比（ＴＤＲ）は、最小ガス消費量の条件において如何に安定した燃焼を保持できるかによって制限される。
【０００５】
ガスボイラー及び給湯器の場合、ターンダウン比（ＴＤＲ）が大きいほど暖房及び温水の使用がより便利になる。すなわち、ターンダウン比（ＴＤＲ）が小さく（すなわち、最小ガス消費量が多い場合）、暖房及び温水の負荷が小さい領域でバーナーが作動する場合には、燃焼機器のオン／オフ（Ｏｎ／Ｏｆｆ）が頻繁に発生するので、温度制御時の偏差が大きくなり、機器の耐久性が低下する。したがって、このような問題を改善するために、燃焼機器に適用されるバーナーのターンダウン比（ＴＤＲ）を向上させるための様々な方法が開発されてきた。
【０００６】
このような比例制御方式のバーナーにおいてガスを供給するバルブは、電流値で制御される電流比例制御方式バルブ（ｅｌｅｃｔｒｉｃａｌ  ｍｏｄｕｌａｔｉｎｇ  ｇａｓ  ｖａｌｖｅ）と空気供給時に発生する差圧で制御される空気比例制御方式バルブ（ｐｎｅｕｍａｔｉｃ  ｍｏｄｕｌａｔｉｎｇ  ｇａｓ  ｖａｌｖｅ）とに大別される。
【０００７】
前記空気比例制御方式バルブでは、送風機を用いてバーナーの燃焼時に必要な空気を供給するとき発生する差圧によってバーナーへ供給されるガス量を制御し、この際、燃焼に必要な空気とガスは、ガス−空気混合装置（Ｇａｓ−ａｉｒ  ｍｉｘｅｒ）で混合され、混合気（空気＋ガス）の形態でバーナーに供給されることになる。
【０００８】
このような空気比例制御バルブを用いるガスバーナーのガス−空気混合装置において、ターンダウン比（ＴＤＲ）を制限する基本的事項は、ガス消費量（Ｑ）と差圧（ΔＰ）との関係であり、一般に流体の差圧と流量との関係は以下のとおりである。
【数１】
2016505794.tif 000003
【０００９】
すなわち、上記の関係式から分かるように流体の流量を２倍に増加させるためには、差圧を４倍に上昇させなければならない。したがって、ターンダウン比（ＴＤＲ）を３：１にするためには差圧の比を９：１に、ターンダウン比（ＴＤＲ）を１０：１にするためには差圧の比を１００：１にしなければならないが、この際、ガスの供給圧力を無限に増加させるのは不可能であるということに問題がある。
【００１０】
このようなガス供給圧力を無限に増加できないという問題を解決するために、図１に示すように、空気及びガスが供給される経路を２つ以上の領域に区画し、各バーナーへ噴射される各ガスの通路を開閉することによって、ガスバーナーのターンダウン比（ＴＤＲ）を高める方法が開示されている。
【先行技術文献】
【特許文献】
【００１１】
【特許文献１】韓国特願１０−２０１１−８４４１７号
【発明の概要】
【発明が解決しようとする課題】
【００１２】
上記特許文献は、本出願人によって先に出願された発明であって、図１を参照すると、空気供給管１３の一端側に２つに分岐されるガス供給管１２が結合され、前記空気供給管１３の内側に、それぞれ別個の分岐機構１７０を備えてロッド１６３に結合されたバルブ体１６１、１６２が電磁石１６５と結合されたロッド１６３の上下運動を通じてガス流路１１６と空気流路１１８とを開閉する。これにより、ボイラーを低出力モード及び高出力モードに制御することができ、ターンダウン比を向上可能な流路分離型ガス−空気混合装置を図示する。
【００１３】
しかしながら、上述した流路分離型ガス−空気混合装置の場合、第一に、空気流路１１８が円筒状からなる１つの流路を分岐機構１７０によって区画して空気の流入量を２段階に調節することで、空気の流入量がより多く必要となる場合であっても、空気流路１１８を拡張することができず、これによって高いターンダウン比を実現することができないという課題がある。
【００１４】
第二に、それぞれのガス流路１１５、１１６の面積が同一であり、ガス差圧が生じないことから、ターンダウン比を効率的に高められないという課題がある。
【００１５】
第三に、上述したガス−空気混合装置を製造する場合、射出またはダイカスト加工により製造されるので、製造時に寸法及び精度の誤差が大きくなる。このため、加工時のバリ等の発生により、バリを除去する後工程を追加しなければならないという課題がある。
【００１６】
第四に、燃焼機器の容量に応じて必要な負荷熱量が異なるので、容量に応じてガス−空気混合装置を製造しなければならず、製品設計におけるデザインコストが増えて製造コストが上昇するという課題がある。
【００１７】
本発明は、上記の課題を解決するために発明されたものであって、給湯器のような燃焼機器に流入される空気及びガスの量を２段階に制御できるように、開閉手段を備える。この開閉手段は、モーターとダンパーから構成される。モーターの駆動によってダンパーが回転され、第２の空気及びガスの流入口を同時に開放または遮断することで、空気及びガスの量を制御することができる燃焼機器用デュアルベンチュリを提供することを目的とする。
【課題を解決するための手段】
【００１８】
上記の技術的課題を達成するため、一実施例において、本発明の燃焼機器用デュアルベンチュリは、一端側がターボファンと結合される排出部が形成され、内側にガス及び空気が流れるように所定空間が形成されるハウジングと、前記ハウジングの内側で第１の隔壁によって区画される空気供給部であって、第１の空気供給部と、中間に開閉孔が形成される第２の空気供給部とに分離形成される空気供給部と、前記ハウジングの一側面に形成され、第２の隔壁によって区画されるガス供給部であって、前記第１の空気供給部と連通する第１のガス供給部と、前記開閉孔によって前記第２の空気供給部と連通する第２のガス供給部とを備えるように形成されるガス供給部と、前記ガス供給部の側面に形成され、１次ガス及び２次ガスが同時に流入するように構成されるガス流入口であって、前記第１のガス供給部側に形成される１次ガス流入口と、第２のガス供給部に形成される２次ガス流入口とを備えるように構成されるガス流入口と、燃焼機器が低熱量を必要とする場合、前記第２の空気供給部に流入する２次空気と、前記第２のガス供給部に流入する前記２次ガスの流れを遮断し、前記燃焼機器が高熱量を必要とする場合、前記第２の空気供給部と前記第２のガス供給部とを開放する開閉手段とを含む。
【００１９】
一実施例において、前記開閉手段は、前記第２の空気供給部の中間に備えられ、前記第２の空気供給部を通じて流入する空気及び第２のガス供給部を通じて流入する前記２次ガスを、モーターの駆動によって回転されるダンパーにより遮断または通過させる開閉部を含む。
【００２０】
一実施例において、前記開閉部は、中心部に形成され、前記モーターのモーター軸と結合される軸孔と、前記軸孔の縁端領域に突出形成される２つ以上の凸部と、前記凸部に対して陥没形成される凹部とを備え、前記凸部と前記凸部とが交互に形成されるダンパーと、前記凸部及び前記凹部にそれぞれ対応するように凸部及び凹部が形成され、前記ダンパーの回転により前記前記凸部及び前記凸部の尖端部が互いに接触することで前進後退する移動体と、前記移動体の一端部に結合され、前記移動体の前進後退運動に応じて前記開閉孔を開閉し、前記第２のガス供給部を通じて流入する前記２次ガスを開放または遮断するバルブと、前記ダンパーと前記移動体との間に備えられ、前記バルブが前記開閉孔を開放した後、遮断するときに、弾性力を以て復元力を有する第１のスプリングと、を含む。
【００２１】
一実施例において、前記バルブは、前記ダンパーが回転することで前記移動体が前記ダンパー側に復帰して開閉孔を遮断するときに、前記移動体が迅速に復帰できるようにするために第１の隔壁に配設される第２のスプリングをさらに含む。
【００２２】
一実施例において、前記バルブは、前記開閉孔と前記バルブとの間の機密性を保持するためのシーリング部材をさらに含む。
【００２３】
一実施例において、前記第１の空気供給部及び第２の空気供給部には、それぞれの内側に燃焼時に必要な熱量負荷に応じて空気の量を調節することができるように脱着が可能な負荷調節用内部ハウジングをさらに含む。
【発明の効果】
【００２４】
本発明の燃焼機器用デュアルベンチュリによれば、第一に、燃焼機器において必要な高熱量及び低熱量を制御することができるので、燃料費を節減できる効果がある。第二に、第１の空気供給部及び第２の空気供給部に必要な負荷に応じて脱着可能に内側に内部ハウジングを結合している。これにより、異なる負荷に応じて内部ハウジングだけを交換して用いることができる。燃焼機器ごとに必要とする負荷熱量に応じて柔軟に対処することができるので、製品設計、デザイン費用を削減して経済性を高める効果がある。第三に、デュアルベンチュリの部品が簡素化され、製品製作のための設計時間の短縮、製作期間の短縮及び製品の故障時の修理を簡素化する効果がある。第四に、１次ガス及び２次ガスの流入口を別個の構造として分けて構成する必要がないので、デュアルベンチュリの構造を簡素化する効果がある。
【図面の簡単な説明】
【００２５】
【図１】従来技術を説明するための図である。
【図２】本発明の燃焼機器用デュアルベンチュリの態様を示す斜視図である。
【図３】図２のＡ−Ａ線断面図である。
【図４】図２に備えられるガス供給部の内部模様を示めすための斜視図である。
【図５（ａ）】図３に備えられるダンパーの内部模様を示す斜視図である。
【図５（ｂ）】移動体の模様を示す斜視図である。
【図６】本発明の燃焼機器用デュアルベンチュリの作動状態を説明するための図である。
【発明を実施するための形態】
【００２６】
本発明の理解のために、本発明の好ましい実施例を添付の図面を参照して説明する。本発明の実施例は様々な形態に変更することができ、本発明の範囲は、以下で詳細に説明する実施例に限定されるものではない。本実施例は、当業界において平均的知識を有する者に本発明をより完全に説明するために提供するものである。したがって、より明確な説明をするために、図面における要素の形状などを部分的に拡大して表現している場合もある。各図面において、同じ部材には同じ参照符号を付して図示する。また、公知の機能及び構成に関する詳細な記述は省略する。
【００２７】
以下、添付の図面を参照して本発明の好ましい実施例を説明することで、本発明の燃焼機器用デュアルベンチュリについて詳細に説明する。
【００２８】
図２は本発明の燃焼機器用デュアルベンチュリを示す斜視図であり、図３は図２のＡ-Ａ線の断面図であり、図４は図２に備えられるガスハウジングの内部模様を示すための斜視図であり、図５（ａ）は図３に備えられるダンパーの内部模様を示す斜視図であり、図５（ｂ）は移動体の模様を示す斜視図であり、図６は本発明の燃焼機器用デュアルベンチュリの作動状態を説明するための図面である。
【００２９】
図２乃至図６を参照すると、本発明の燃焼機器用デュアルベンチュリは、その一端側にターボファン（図示せず）と結合される排出部３００が形成され、内側にガス及び空気が流れるように所定空間が形成されるハウジング５００が備えられる。
【００３０】
前記ハウジング５００の内側に第１の隔壁１３０により区画され、第１の空気供給部１１０と第２の空気供給部１２０とに分離される空気供給部１００が形成される。
【００３１】
一方、図３及び図４に示すように、ガス供給部６１０が、前記ハウジング５００の一側面に形成され、第２の隔壁６１３により区画される。第１のガス供給部６１１は前記第１の空気供給部１１０と連通し、第２のガス供給部６１２は開閉孔１２１によって前記第２の空気供給部１２０と連通するように形成される。すなわち、前記ガス供給部６１０は一体に形成され、第２の隔壁６１３によって１，２次ガスが完全に分離されるため、従来の１，２次ガス流路をそれぞれ別途に設計する必要がなく、製造コストが節減する。
【００３２】
また、前記ガス供給部６１０の側面に１次ガス及び２次ガスが同時に流入するように構成される。１次ガス流入口６０１は前記第１のガス供給部６１１側に形成され、２次ガス流入口６０２は第２のガス供給部６１２側に形成されるように構成されるガス流入口６００が形成される。
【００３３】
一方、第２の空気供給部１２０の中間には開閉手段４００が結合される。前記開閉手段４００は、第２の空気供給部１２０と第２のガス供給部６１２を通じて流入する空気及びガスの流れを遮断する一方、高熱量が必要な場合には、第２の空気供給部１２０と第２のガス供給部６１２を開放させるようにして、燃焼機器から要求される熱量負荷に応じて熱量を調節することができる。
【００３４】
前記開閉手段４００に対して図３乃至図６を参照してより詳細に説明する。前記第２の空気供給部１２０の中間に備えられ、前記第２の空気供給部１２０及び前記第２のガス供給部６１２を通じて流入する空気及びガスをモーター４１０の駆動によって回転されるダンパー４３０により遮断または通過させる開閉部４２０が構成される。
【００３５】
前記開閉部４２０には、中心部に軸孔４３１が形成され、かつ前記モーター４１０のモーター軸４１１と結合され、前記軸孔４３１の縁端領域に突出形成される２つ以上の凸部４３２と、前記凸部４３２に対して相対的に陥没形成される凹部４３３とが交互に形成されるダンパー４３０が備えられる。
【００３６】
また、前記ダンパー４３０の凸部４３２と凹部４３３にそれぞれ対応するように、凸部４４２と凹部４４３が形成された移動体４４０が備えられる。この移動体４４０は、前記ダンパー４３０の回転により前記それぞれの凸部４３２，４４２の尖端部が互いに接触して前進後退するように構成されている。
【００３７】
一方、前記移動体４４０の一端部には、前記移動体４４０の前進後退運動に応じて前記開閉孔１２１を開閉して、第２の空気供給部１２０及び前記第２のガス供給部６１２を通じて流入する空気及びガスを開放または遮断するバルブ４４４が結合される。
【００３８】
また、前記ダンパー４３０と移動体４４０との間には、第１のスプリング４５１が介在する。第１のスプリング４５１は、その弾性力を以て、前記バルブ４４４が開閉孔１２１を開放した後、遮断されるときに復元力を発揮する。
【００３９】
一方、前記バルブ４４４は、前記ダンパー４３０が回転して前記移動体４４０がダンパー４３０側に復帰して開閉孔１２１が遮断されるとき、移動体４４０が迅速に復帰できるようにするために第１の隔壁１３０に配設される第２のスプリング４５２をさらに備えることができる。
【００４０】
また、前記バルブ４４４は、前記開閉孔１２１とバルブ４４４との間に機密性を保持するためにシーリング部材４４５をさらに備えることができる。したがって、燃焼機器の低熱量駆動の際に、２次ガスの供給を完璧に遮断することができる。
【００４１】
上述の第１の空気供給部１１０及び第２の空気供給部１２０は、それぞれの内側に、燃焼時に必要な熱量負荷に応じて空気の量を調節することができるように、脱着可能な負荷調節用内部ハウジング１１２、１２２をさらに備えることができる。すなわち、熱量負荷に応じて多様な体積からなる内部ハウジング１１２、１２２が脱着可能に構成される。
【００４２】
したがって、容量の小さい燃焼機器を製作する場合、別個のデュアルベンチュリを設計することなく、上述の第１の空気供給部１１０及び第２の空気供給部１２０の内側の、燃焼機器に必要な体積の小さい内部ハウジング１１２、１２２だけを交換することができるので、経済性が高くなる。
【００４３】
以下、上記のように構成される本発明の燃焼機器用デュアルベンチュリの作動状態について説明する。
【００４４】
先ず、給湯器において１次ガスと１次空気のみが供給される作動は、図３に示すように、前記開閉部４２０のダンパー４３０が、第２の空気供給部１２０の空気及びガスが流れる方向に対して水平に回転して第２の空気供給部１２０を遮断する。同時に、移動体４４０の凹部４４３とダンパー４３０の凸部４３２とが、移動体４４０の凸部４４２とダンパー４３０の凹部４３３とが、互いに当接した状態になる。この際、前記移動体４４０のバルブ４４４が前記開閉孔１２１を遮断しているため、２次ガスの流入が遮断され、前記ダンパー４３０が前記第２の空気供給部１２０に水平になるように回転した状態であるため、２次空気の流入が遮断される。この場合、前記ガス流入口６００には１次及び２次ガスが同様に流入されるが、前記バルブ４４４が第２の空気供給部１２０に形成される開閉孔１２１を遮断しているため、２次ガスの流入も遮断される。
【００４５】
したがって、前記第１のガス供給部６１１及び第１の空気供給部１１０のみを通じて空気とガスが混合された混合気がターボファンへ流入するので、燃焼機器を低熱量に駆動することができる。
【００４６】
一方、燃焼機器を高熱量に駆動するためには、図６に示すように前記モーター４１０に電源を印加して前記ダンパー４３０を９０度回転させると、ダンパー４３０が前記第２の空気供給部１２０の長手方向と一致するように回転される。
【００４７】
同時に、前記ダンパー４３０が回転すると、内側に形成される凸部４３２及び凹部４３３も共に回転するので、前記ダンパー４３０及び移動体４４０それぞれの凸部４３２，４４２（尖端部）が互いに当接し、前記ダンパー４３０の回転により移動体４４０が押されて前進することになる。
【００４８】
この際、移動体４４０の後端に結合されたバルブ４４４が、前記シーリング部材４４５から離間すると、第２のガス供給部６１２を通じて流入された２次ガスが前記開閉孔１２１へ流入し、この２次ガスは前記第２の空気供給部１２０へ流入される２次空気と混合される。これによって、上述の第１の空気供給部１１０及び第１のガス供給部６１１を通じて流入する空気及びガスを混合し、より多い混合気が生成してターボファンへ流入されるので、燃焼機器を高熱量に駆動することができる。ここで、前記ダンパー４３０及び移動体４４０の間に第１のスプリング４５１が介在するので、その弾性力によってそれぞれの凸部４３２，４４２は互いに接触を保持することができる。
【００４９】
その後、再び燃焼機器を低熱量に駆動するためには、前記モーター４１０を駆動してダンパー４３０を更に９０度回転させれば、図３に示す状態となり第２の空気供給部１２０及び開閉孔１２１が遮断され燃焼機器が低熱量に駆動することになる。ここで、前記第１の隔壁１３０及び移動体４４０の間には第２のスプリングが介在するので、ダンパー４３０が回転して第２の空気供給部１２０が閉鎖される際、移動体４４０及びダンパー４３０の各凸部４３２、４４２及び凹部４３３，４４３がそれぞれ噛合うように復元力を高める。
【００５０】
以上で説明した本発明の燃焼機器用デュアルベンチュリの実施例は例示のものに過ぎず、本発明が属する技術分野の通常の知識を有する者であれば、より多様な変形例及び均等な他の実施例が可能であることが分かるであろう。また、本発明は上述の詳細な説明で言及される形のみに限定されるものではないことは明らかである。本発明の技術的保護範囲は、添付の特許請求範囲の技術的思想に基づいて定められるべきであり、また、本発明は添付の請求範囲によって定義される本発明の精神とその範囲内に含まれるあらゆる変形例と均等例、及び代替例をも含むものとして理解されるべきである。
【符号の説明】
【００５１】
１００  空気供給部
１１０  第１の空気供給部
１１２  内部ハウジング
１２０  第２の空気供給部
１２１  開閉孔
１２２  内部ハウジング
１３０  第１の隔壁
３００  排出部
４００  開閉手段
４１０  モーター
４１１  モーター軸
４２０  開閉部
４３０  ダンパー
４３１  軸孔
４３２  凸部
４３３  凹部
４４０  移動体
４４２  凸部
４４３  凹部
４４４  バルブ
４５１  第１のスプリング
４５２  第２のスプリング
５００  ハウジング
６００  ガス流入口
６０１  １次ガス流入口
６０２  ２次ガス流入口
６１０  ガス供給部
６１１  第１のガス供給部
６１２  第２のガス供給部
６１３  第２の隔壁
【図１】
2016505794.tif 000004
【図２】
2016505794.tif 000005
【図３】
2016505794.tif 000006
【図４】
2016505794.tif 000007
【図５（ａ）】
2016505794.tif 000008
【図５（ｂ）】
2016505794.tif 000009
【図６】
2016505794.tif 000010
【国際調査報告】
2016505794.tif 000011
2016505794.tif 000012
2016505794.tif 000013
2016505794.tif 000014